(57)【要約】【課題】特殊景品に関係する不正行為を低減するとともに、景品の流通状況を把握し、透明性の向上を図る。【解決手段】ホールコード及び金額データが記録された「使用可」の特殊景品１０は、パチンコホール２０において顧客に球数に応じて渡される。顧客は、特殊景品１０を持って景品交換所３０に行き（矢印ＦＡ）、ここで換金が行われる。このとき、ホールコードや金額データが消去され、特殊景品１０は「使用不可」となって景品問屋４０に回収され（矢印ＦＢ１）、更に景品問屋４０から管理機関５０に送られる（矢印ＦＣもしくはＦＢ２）。管理機関５０は、持ち込まれた特殊景品１０のデータを集計してその流通状況を把握するとともに、特殊景品１０が「使用可」となるようにホールコード及び金額データを書込む。「使用可」となった特殊景品１０は再び景品問屋４０に戻り（矢印ＦＤ）、更にパチンコホール２０に供給される（矢印ＦＥ）。【選択図】　　　図１
2004097319.tif 000002
【特許請求の範囲】
【請求項１】
管理データが記録されており、遊戯ホール，顧客，景品交換所を巡回流通する特殊景品の清算管理方法であって、
前記景品交換所において、特殊景品の交換の際に、当該景品に記録されている管理データを交換可能な状態から交換不可能な状態に変更するステップ１，
前記遊戯ホール及び前記景品交換所のいずれもから独立した管理機関で、前記管理データを交換不可能な状態から交換可能な状態に変更するステップ２，
を含むことを特徴とする景品清算管理方法。
【請求項２】
前記管理データの変更は、所定のデータの記録，消去，もしくは書換えのいずれかによって行うことを特徴とする請求項１記載の景品清算管理方法。
【請求項３】
前記ステップ１によるデータ変更の前に、特殊景品に記録された管理データのうちの必要なデータを読み取って蓄積し、景品交換所毎に集計するステップ３，
該ステップ３で得た集計結果を、ネットワークを通じて前記管理機関に送るステップ４，
前記管理機関において、各景品交換所から受け取った各景品交換所毎の集計結果を総合して集計処理するステップ５，
該ステップ５で得た総合集計結果を、ネットワークを通じて前記遊戯ホール又は前記景品交換所の少なくとも一方に送るステップ６，
を含むことを特徴とする請求項１又は２記載の景品清算管理方法。
【請求項４】
前記管理機関は、前記特殊景品の供給元である景品問屋を介して前記ステップ１もしくはステップ２によるデータ変更が行われた特殊景品の授受を行うステップ７，
を含むことを特徴とする請求項１又は２記載の景品清算管理方法。
【請求項５】
請求項１〜４のいずれかに記載の景品清算管理方法の景品交換所に設置される交換処理装置であって、
前記特殊景品に記録されている管理データのうちの必要なデータを読み取るデータ読取手段，
該データ読取手段によって読み取られたデータを蓄積するデータ蓄積手段，
該データ蓄積手段によって蓄積されたデータに対して現金清算のための清算処理を行う清算処理手段，
該清算処理手段による清算結果に応じて、現金を支払う現金支払手段，
顧客に対して交換対象となる特殊景品の個数及び交換金額を表示する表示手段，
前記特殊景品の管理データを、交換可能な状態から交換不可能な状態に変更するデータ変更手段，
を備えたことを特徴とする交換処理装置。
【請求項６】
前記清算処理手段が、前記データ蓄積手段に蓄積されたデータに対して該交換所毎の集計処理を行って、処理結果を前記データ蓄積手段に蓄積するとともに、
データ蓄積手段に蓄積されたデータのうちの必要なものを、ネットワークを通じて前記管理機関に送るデータ伝送手段，
を備えたことを特徴とする請求項５記載の交換処理装置。
【請求項７】
請求項１〜４のいずれかに記載の景品清算管理方法の管理機関に設置される管理装置であって、
前記特殊景品の管理データを、交換不可能な状態から交換可能な状態に変更するデータ変更手段，
を備えたことを特徴とする管理装置。
【請求項８】
前記景品交換所から送られたデータを蓄積するデータ蓄積手段，
該データ蓄積手段に蓄積されたデータに対して、景品交換所全体を総合した集計処理を行う集計処理手段，
該集計処理手段による総合処理結果のうちの該当する結果を、ネットワークを通じて当該遊戯ホールもしくは景品交換所に送るデータ伝送手段，
を備えたことを特徴とする請求項７記載の管理装置。
【請求項９】
ホール端末を備えた複数の遊戯ホールと、請求項６記載の交換処理装置を備えた複数の景品交換所と、請求項８記載の管理装置を備えた管理機関を、ネットワークを通じて接続したことを特徴とする景品清算管理システム。
【発明の詳細な説明】
【０００１】
【発明の属する技術分野】
本発明は、パチンコ，パチスロなどにおける景品交換ないし景品流通に関するものである。
【０００２】
【従来の技術】
パチンコなどにおける景品交換の従来技術としては、下記特許文献１に記載された景品交換システムがある。これによれば、パチンコホールで当日有効，発行時刻などのデータが景品となるカードに書き込まれる。顧客は、該データが記録されたカードを交換所に持ち込む。交換所は、パチンコホールでカードに書き込まれた情報を受け取り、これに基づいて適正チェックを行い、適正であれば換金する。カードのデータは、交換所もしくは回収業者によってクリアされる。回収されたカードは、販売元を介して再びパチンコホールに供給される。これに近似するものとして、下記特許文献２記載の景品交換システムがある。これによれば、データの書き込みがカードメーカーや販売元で行われる。下記特許文献３に記載された景品交換方法及び装置では、パチンコホールで金額データのほかに価値付きコードがカードに記録される。交換所で正当性チェックの後に換金し、価値付きコードを消去する。
【特許文献１】
特開平８−２２９２２１号公報
【特許文献２】
特開平９−１０４１７号公報
【特許文献３】
特開平８−３１８０４５号公報
【０００３】
【発明が解決しようとする課題】
いずれも、カードの偽造などの不正行為を防止してセキュリティの向上を図ることを目的とするものである。しかし、カードデータの書き込みや消去がパチンコホールや交換所などで行われており、第三者によるチェックが行われているわけではない。従って、場合によっては、不正行為が行われる可能性がある。また、景品交換システムが良好に機能するためには、一般顧客の信頼を得ることが重要である。そのためにはシステムの透明性を高める必要があり、景品流通の全体が把握できると好都合である。
【０００４】
この発明は、以上の点に着目したもので、その目的は、特殊景品に関係する不正行為の低減の徹底を図ることである。他の目的は、景品の流通状況を全体として把握し、システムの透明性の向上を図ることである。
【０００５】
【課題を解決するための手段】
前記目的を達成するため、本発明は、管理用データが記録されており、遊戯ホール，顧客，景品交換所を巡回流通する特殊景品の清算管理の際に、前記景品交換所において、特殊景品の交換の際に、当該景品に記録されている管理データを交換可能な状態から交換不可能な状態に変更するとともに、前記遊戯ホール及び前記景品交換所のいずれもから独立した管理機関で、前記管理データを、交換不可能な状態から交換可能な状態に変更することを特徴とする。
【０００６】
【発明の実施の形態】
＜概要＞……以下、本発明の実施の形態について詳細に説明する。最初に図１を参照して、本発明の一実施形態の概要を説明する。本実施形態では、磁気カードなどと異なる特殊景品１０が使用される。特殊景品１０としては、例えば特開平７−２４６２８１号もしくは特開平７−２７１９３６号に開示されているデータ記憶チップのようなＩＣカードと貴金属プレート（例えば金地金）や宝石などを備えたものが好適である。このような特殊景品は、金額の種類に対応してそれぞれ用意される。例えば、５００円の特殊景品は銅製プレートが収納されており、１０００円の特殊景品は銀製プレートが収納されており、５０００円の特殊景品は金製プレートが収納されているという具合である。もちろん、貴金属や宝石は一例であり、収納物品は適宜選択してよい。このようにすることで、特殊景品１０の偽造を防止することができる。
【０００７】
特殊景品１０は、当初金額やパチンコホール（以下単に「ホール」という）の名前などのデータが記録された「使用可」の状態にあり、使用先であるホール２０において顧客（遊戯者）に出球数に応じて渡される。顧客は、特殊景品１０を持って景品交換所３０に行く（矢印ＦＡ）。景品交換所３０には、交換処理装置３１が設置されており、これによって特殊景品１０のデータが読み取られ、換金が行われる。読み取り後、金額やホール名のデータは消去され、特殊景品１０は「使用不可」の状態となって景品問屋（販売元）４０に回収される（矢印ＦＢ１）。そして、景品問屋４０から第三者機関である管理機関５０に送られる（矢印ＦＣ）。景品交換所３０から直接管理機関５０に回収されるようにしてもよい（矢印ＦＢ２）。前記交換処理装置３１としては、例えば特開平７−２７１９３６号公報に開示されたデータ処理システムが好適である。
【０００８】
管理機関５０には、後述する管理装置５１が設けられている。管理機関５０は、まず、管理装置５１により持ち込まれた特殊景品１０のデータを集計してその流通状況を把握する。次に、特殊景品１０が使用可能となるようによって金額やホール名のデータを記録し「使用可」の状態にする。ホール名は、例えば、予め各ホール毎に割り当てられたコード番号によって記録される。使用可能となった特殊景品１０は再び景品問屋４０に戻り（矢印ＦＤ）、更に該当するパチンコホール２０に供給される（矢印ＦＥ）。そして、パチンコホール２０で再び顧客に玉数に応じて渡される。
【０００９】
＜構成＞……次に、上記実施形態について更に詳細に説明する。図２には、特殊景品１０に記録されるデータの一例が示されている。特殊景品１０には、供給先の地区を表す都道府県コードＤ１及び地区コードＤ２，供給元の問屋ないし製造者を表す問屋コードＤ３，当該景品の製造年月日Ｄ４，当該景品の使用可能期限Ｄ５，供給先のパチンコホールを表すホールコードＤ６，当該景品の交換金額を表す金額データＤ７，当該景品の使用許可・不許可を表す許否データＤ８などが記録されている。これらのデータのうち、データＤ１〜Ｄ５は、通常は使用開始前に一度記録されると、そのまま保存される。これに対し、ホールコードＤ６，金額データｄ７は、景品交換所３０で消去されるとともに、管理機関５０で書き込まれるデータである。許否データＤ８は、景品交換所３０で「使用可」から「使用不可」に書き換えられ、管理機関５０で「使用不可」から「使用可」に書き換えられるデータである。
【００１０】
図３には、景品交換所３０に設置されている交換処理装置３１の一例が示されている。同図に示すように、交換処理装置３１は、景品交換所３０を訪れた顧客に対して清算内容を提示するためのディスプレイ３２，清算処理に必要な演算などを行う自動清算装置３４，清算後の現金を支払うための現金自動支払機３６を含んでいる。その他、必要に応じてスイッチ類，プリンタ，外部記憶装置などが設けられる。
【００１１】
これらのうち、ディスプレイ３２は、交換対象の特殊景品１０の個数を表示する個数表示部３２Ａ，清算金額（当該景品の買取価格の合計）を表示する金額表示部３２Ｂを備えている。個数表示部３２Ａは、例えば、大中小の各景品の個数をそれぞれ表示する。「大…５個」，「中…４個」，「小…１個」という具合である。
【００１２】
自動清算装置３４は、交換対象の特殊景品１０に対するデータの読み取りと一部データの消去を行うデータ読取・消去部３４Ａ，清算処理の演算や交換所毎の集計処理を行う清算処理部３４Ｂ，清算処理や集計処理のデータを蓄積する清算データベース３４Ｃ，清算処理や集計処理の過程や結果を表示する清算表示部３４Ｄ，ネットワークを通じて管理機関５０の管理装置５１とデータの授受を行うための通信部３４Ｅが設けられている。この自動清算装置３４による清算結果の金額は現金自動支払機３６に送られており、該当する金額の現金が現金自動支払機３６から払い出される構成となっている。
【００１３】
図４には、管理機関５０に設置されている管理装置５１の一例が示されている。同図に示すように、管理装置５１は、管理データベース５１Ｂのデータを参照して全ての景品交換所を総合した統計処理などの全体としての景品の流通を管理する景品管理部５１Ａ，該景品管理に必要なコードデータや各景品交換所３０から受信したデータなど管理処理に必要なデータを蓄積する管理データベース５１Ｂ，「使用可」の状態にするためにホールコードＤ６や金額データＤ７を特殊景品１０に書き込むためのデータ書込部５１Ｃ，ネットワークを通じてホール２０，景品交換所３０，問屋４０とデータの授受を行う通信部５１Ｄが設けられている。なお、データ書込部５１Ｃは、特殊景品１０に記録されているデータを読み取る機能も備えている。
【００１４】
更に、ホール２０には、特殊景品１０の交換数量や金額，景品問屋４０から納品される景品数量を表示するなどの景品管理用のホール端末２１が設けられている。また、景品問屋４０には、現金と交換されて戻ってきた特殊景品１０の数量を表示するなどの景品管理用の問屋端末４１が設けられている。これらホール端末２１及び問屋端末４１は、例えばＰＣ（パーソナルコンピュータ）によって構成されている。
【００１５】
次に、図５を参照しながら、上記実施形態のネットワーク構成を説明する。上述したホール２０，景品交換所３０，景品問屋４０は、いずれも通常多数存在する。各ホール２０の端末２１，各景品交換所３０の交換処理装置３１の通信部３４Ｅ，各景品問屋４０の端末４１は、いずれも図示しないプロバイダを介してインターネット８０に接続されている。また、管理機関５０の管理装置５１の通信部５１Ｄも同様にインターネット８０に接続されている。なお、本例はインターネットを利用しているが、各種のネットワークを利用してよい。
【００１６】
＜動作＞……次に、本実施形態の全体の動作を説明する。ホールコードＤ６及び金額データＤ７が記録されており、許否データＤ８が「使用可」の特殊景品１０は、パチンコホール２０において顧客に球数に応じて渡される。顧客は、特殊景品１０を持って景品交換所３０に行く。景品交換所３０では、係員が交換処理装置３１の自動清算装置３４のデータ読取消去部３４Ａに特殊景品１０をセットする。すると、データ読取消去部３４Ａによって特殊景品１０に記録されている各コードデータが読み取られ、清算処理部３４Ｂに出力される。清算処理部３４Ｂでは、特殊景品１０の個数や金額の合計が演算され、その結果は清算データベース３４Ｃに記録されるとともに、ディスプレイ３２及び清算表示部３４Ｄに表示される。顧客は、ディスプレイ３２を参照することで、自分が持ち込んだ特殊景品１０の数と交換金額を確認することができる。また、合計金額のデータは、現金自動支払機３６にも送られ、該当する金額の現金が払い出されて顧客に渡される。
【００１７】
一方、自動清算装置３４のデータ読取消去部３４Ａでは、データの読取後、特殊景品１０のホールコードＤ６及び金額データＤ７を消去するとともに、許否データＤ８が「使用不可」に書き換えられる。また、自動清算装置３４の清算処理部３４Ｂでは、例えば１日毎や１月毎などの換金額合計，各ホール毎や各問屋毎の交換景品数などのデータ集計が行われ、その結果は清算データベース３４Ｃに保存される。例えば、問屋コードＤ３が共通する特殊景品１０の金額データＤ７を集計すると、その問屋コードＤ３に該当する景品問屋４０が供給した景品総額が集計される。ホールコードＤ６が共通する特殊景品１０の金額を集計すると、そのホールコードＤ６に該当するパチンコホール２０が出球と交換した景品総額が集計される。もちろん、複数のデータを組み合わせて集計してもよい。これらの集計作業は、必要に応じて日単位，月単位，年あるいは年度単位で行われる。
【００１８】
清算処理後の特殊景品１０は、問屋コードＤ３を参照することで問屋毎に振り分けられて該当する景品問屋４０に回収され、各景品問屋４０は、回収した特殊景品１０を管理機関５０に送る。景品交換所３０から直接管理機関５０に特殊景品１０を送るようにしてもよい。更に、清算データベース３４Ｃに蓄積された各データは、インターネット８０を介して管理機関５０の管理装置５１に送信され、管理データベース５１Ｂに蓄積される。
【００１９】
管理機関５０では、管理装置５１のデータ書込部５１Ｃによって、特殊景品１０に対するホールコードＤ６及び金額データＤ７の書込みが行われる。上述したように、いずれのホール２０からいくつの特殊景品１０が景品交換所３０に持ち込まれて換金されたかの集計データが、各景品交換所３０からインターネット８０を介して管理機関５０に送信されており、集計データは管理データベース５１Ｂに格納されている。この集計データを参照することで、金額がいくらの特殊景品１０を、どのホールに対して何個用意したらよいかを知ることができる。
【００２０】
このような管理処理が景品管理部５１Ａで行われ、データ書込部５１Ｃによって特殊景品１０に対するデータが書き込まれる。ホールコードＤ６及び金額データＤ７の書込みが行われた特殊景品１０に対しては、更に許否データＤ８が「使用可」の状態に書き換えられる。その後特殊景品１０は、問屋コードＤ３を参照することで問屋毎に区分けされるとともに、ホールコードＤ６を参照することでホール毎に区分けされ、金額データＤ７を参照することで金額毎に区分けされる。その後特殊景品１０は、管理機関５０から該当する景品問屋４０に戻されるとともに、景品問屋４０から該当するパチンコホール２０に再び供給される。このとき、景品管理部５１Ａは、パチンコホール２０や景品問屋４０の各端末２１，４１に、集計データや事前の納品数を通知するなどの処理を行う。以後、上述した動作が繰り返され、特殊景品１０は循環使用される。
【００２１】
このように、本実施形態によれば、管理機関５０でのみ、特殊景品１０に対する金額データやホールコードの書込みや、許否データＤ８の「使用可」への書換えが行われる。このため、管理機関５０に持ち込まない限り、一度換金した特殊景品１０は使用可能な状態とならず、再び使用することができない。従って、流通する特殊景品１０は、必ず管理機関５０を通過することとなる。これにより、管理機関５０は、特殊景品１０の全流通量を把握することが可能となる。また、特殊景品１０に記録されている各種の管理データを集計処理することで、パチンコホール２０における景品交換量や景品問屋４０における景品供給量を把握することができ、特殊景品による循環・換金システムの透明性を高めることが可能となる。加えて、「使用不可」の特殊景品１０が盗難に会い、景品交換所３０に持ち込まれたとしても、データの読取りができないために現金との交換ができない。
【００２２】
＜具体例＞……次に、上記実施形態の具体例を説明する。例えば、ホール２０がＡ〜Ｅの５箇所あったとし、景品交換所３０がＰ〜Ｒの３箇所あったとする。本実施形態によれば、特殊景品は、５箇所のホール２０で共通に使用される。顧客は、ホール２０のいずれかで取得した特殊景品１０を、いずれの景品交換所３０に持ち込んでも現金に交換することができる。すると、３箇所の景品交換所３０には、５箇所のホール２０の特殊景品１０が混在することになる。しかし、いずれのホールのいくらの金額の景品が何個現金に交換されたかは、各景品交換所３０で特殊景品１０から読み取られて統計処理されている。統計結果は、例えば次の表１のようになる。このような表は、Ｐ，Ｑ，Ｒの各景品交換所毎に得られる。
【００２３】
【表１】
2004097319.tif 000003
【００２４】
これらの各景品交換所毎の統計結果が管理機関５０に集められる。管理機関５０では、集積された統計結果を利用して、Ａ〜Ｅの５箇所のホール毎の景品個数を演算する。例えば、次の表２のようなホール毎の統計結果が得られる。
【００２５】
【表２】
2004097319.tif 000004
【００２６】
一方、管理機関５０には、「使用不可」となった特殊景品１０も、３箇所の景品交換所３０から集められる。管理機関５０は、表２の統計結果を利用して、特殊景品１０にデータを書き込み、「使用可」の状態として該当するホール２０に納品する。このようにすることで、５箇所のホール２０から出された特殊景品は、必ず同数が該当するホール２０に戻ることになる。もちろん、顧客は、受け取った特殊景品を必ずその日のうちに景品交換所３０に持ち込むとは限らない。従って、一定のタイムラグは生ずるが、全体としてみれば、各ホールが出した特殊景品と同数のものが戻ってくることになる。
【００２７】
これを顧客から見ると、３箇所のいずれかの景品交換所を利用することができ、非常に便利である。管理機関５０で特殊景品を問屋毎とかホール毎に仕分けする手数が大幅に低減される。また、問屋間で特殊景品を売買する必要もない。
【００２８】
本発明には数多くの実施形態があり、以上の開示に基づいて多様に改変することが可能である。例えば、次のようなものも含まれる。
（１）前記実施形態には回収業者は含まれていないが、特殊景品１０の移送を運送業者や回収業者が行うことを妨げるものではない。
（２）特殊景品１０の許否データＤ８を「使用不可」から「使用可」に書き換える際に、予め設定したパスワードの入力を要求するようにしてもよい。特殊景品１０の許否データＤ８が誤って「使用可」から「使用不可」となった場合は、当該特殊景品１０の使用による換金ができなくなるのみで特に不都合はない。これに対し、特殊景品１０の許否データＤ８が管理機関５０以外で「使用不可」から「使用可」に書き換えられた場合は、その特殊景品１０の使用によって換金可能となり、本システムが機能しなくなってしまう。そこで、「使用不可」から「使用可」への書き換えを管理機関５０以外でできないようにするため、パスワードなどによる認証手段を特殊景品１０に設けるようにすると好都合である。
【００２９】
（３）管理機関５０としては、パチンコホール２０，景品交換所３０，回収業者のいずれに対しても中立ないし独立の第三者が好ましい。例えば、国や地方自治体などの公的団体，公益団体，福祉団体が挙げられる。
（４）特殊景品１０としては、各種のデータを記録・消去・書換えできるものであれば、どのようなものでもよいが、景品としての性質上、携帯に便利なもの，データの記録・消去等を容易に行うことができるものが好ましい。また、特殊景品１０には、図２に示したものの他、必要に応じて各種のデータを記録してよい。
（５）前記実施形態では、特殊景品１０の許否データＤ８によって交換の可否を判断したが、許否データＤ８の代わりにホールコードＤ６もしくは金額データＤ７の有無によって使用の可否を判断するようにしてもよい。ホールコードＤ６が記録されていれば「使用可」，記録されていなければ「使用不可」という具合である。
（６）前記実施形態において、例えば管理機関５０の管理装置５１で特殊景品１０の使用可能期限Ｄ５を読み取り、期限が経過したものを排除するようにしてもよい。データの書込みができないような破損した特殊景品１０についても同様である。これら期限経過品や破損品の個数をインターネット８０を通じて該当する景品問屋４０に通知し、特殊景品１０の補充を求めるようにしてもよい。
【００３０】
【発明の効果】
以上説明したように、本発明によれば、ホールや景品交換所から独立した管理機関によって特殊景品が交換可能な状態となるため、特殊景品に関係する不正行為が低減されるとともに、特殊景品の流通状況を把握することができ、透明性が向上するという効果がある。
【図面の簡単な説明】
【図１】本発明の一実施形態の全体を示す図である。
【図２】前記実施形態で使用する特殊景品に記録されるデータの一例を示す図である。
【図３】前記実施形態の景品交換所で使用する交換処理装置の一例を示す図である。
【図４】前記実施形態で使用する管理装置の一例を示す図である。
【図５】前記実施形態におけるネットワークの一例を示す図である。
【符号の説明】
１０……特殊景品
２０……パチンコホール
２１……ホール端末
３０……景品交換所
３１……交換処理装置
３２……ディスプレイ
３２Ａ……個数表示部
３２Ｂ……金額表示部
３４……自動清算装置
３４Ａ……データ読取消去部
３４Ｂ……清算処理部
３４Ｃ……清算データベース
３４Ｄ……清算表示部
３４Ｅ……通信部
３６……現金自動支払機
４０……景品問屋
４１……問屋端末
５０……管理機関
５１……管理装置
５１Ａ……景品管理部
５１Ｂ……管理データベース
５１Ｃ……データ書込部
５１Ｄ……通信部
８０……インターネット
Ｄ１……都道府県コード
Ｄ２……地区コード
Ｄ３……問屋コード
Ｄ４……製造年月日
Ｄ５……使用可能期限
Ｄ６……ホールコード
Ｄ７……金額データ
Ｄ８……許否データ
【図１】
2004097319.tif 000005
【図２】
2004097319.tif 000006
【図３】
2004097319.tif 000007
【図４】
2004097319.tif 000008
【図５】
2004097319.tif 000009